(57)【要約】【課題】車室外ファンの騒音を低減させるとともに、空調装置の軽量化・コンパクト化を図り、ひいては電気自動車の電費を向上させる。【解決手段】空調装置１は、走行用モータ２７に冷却水を供給する冷却水ポンプ２６と、走行用モータ２７を冷却し終えた冷却水を外気と熱交換させる空冷熱交換器２９およびこれを強制的に冷却する車室外ファン３２とを有してなるモータ冷却回路３を備えるとともに、冷媒を圧縮する電動圧縮機２０と、この電動圧縮機２０の吐出側、且つ車室外に設けられた水冷媒熱交換器２１と、ＨＶＡＣユニット２内に設けられた車室内蒸発器１１とを有してなる冷房回路４を備え、水冷媒熱交換器２１は、冷房回路４において電動圧縮機２０から吐出された圧縮冷媒と、モータ冷却回路３を流れる冷却水とを熱交換させるように構成されていることを特徴とする。【選択図】図１
2014108770.tif 000002
【特許請求の範囲】
【請求項１】
走行用モータに冷却水を供給する冷却水ポンプと、
前記走行用モータを冷却し終えた前記冷却水を外気と熱交換させる空冷熱交換器と、
前記空冷熱交換器を強制的に冷却する車室外ファンと、を有してなるモータ冷却回路を備えるとともに、
冷媒を圧縮する電動圧縮機と、
前記電動圧縮機の吐出側、且つ車室外に設けられた水冷媒熱交換器と、
車室内のＨＶＡＣユニット内に設けられた車室内蒸発器と、を有してなる冷房回路を備え、
前記水冷媒熱交換器は、前記冷房回路において前記電動圧縮機から吐出された前記冷媒と、前記モータ冷却回路を流れる前記冷却水とを熱交換させるように構成されていることを特徴とする電気自動車用空調装置。
【請求項２】
前記水冷媒熱交換器は、前記モータ冷却回路における前記空冷熱交換器の直ぐ上流側に配置されていることを特徴とする請求項１に記載の電気自動車用空調装置。
【請求項３】
前記ＨＶＡＣユニット内に設けられたヒータコアと、
前記ヒータコアに熱媒水を供給する熱媒水ポンプと、
前記熱媒水を加熱する熱媒水ヒータと、を有してなる、前記モータ冷却回路とは別系統の暖房回路をさらに備えたことを特徴とする請求項１または２に記載の電気自動車用空調装置。
【請求項４】
請求項１〜３のいずれかに記載の電気自動車用空調装置の運転方法であり、
前記モータ冷却回路が前記走行用モータのバッテリを冷却するように構成されている場合において、
前記バッテリの性能が低下するような低外気温時には、前記車室外ファンを停止させるとともに、前記冷却水の温度が前記バッテリにとって好適な温度に昇温するまで、前記電動圧縮機を作動させて前記水冷媒熱交換器において前記冷媒の凝縮熱を前記冷却水に熱移送することを特徴とする電気自動車用空調装置の運転方法。
【発明の詳細な説明】
【技術分野】
【０００１】
本発明は、電気自動車用空調装置およびその運転方法に関するものである。
【背景技術】
【０００２】
特許文献１に開示されている車両用空調装置は、エンジン駆動車両において、ヒートポンプ式の暖房回路のコンプレッサから吐出された圧縮冷媒の圧縮熱を、水冷媒熱交換器を介してエンジン冷却水側に供給し、これによって低外気温時におけるエンジンの暖機時間の短縮および暖機に費やされる燃料の削減を図ったものである。
【０００３】
この車両用空調装置において、エンジン冷却水の温度が所定値よりも高い場合には、コンプレッサから吐出された冷媒を水冷媒熱交換器に流してしまうと、エンジン冷機時とは逆に、エンジン冷却水の熱によって冷媒が過熱されてしまう。このため、エンジン冷機時以外は、コンプレッサから吐出された冷媒が水冷媒熱交換器を回避して空冷式のガスクーラ（凝縮器）に流れるようにバルブ手段が切り替えられ、ガスクーラにおいて冷媒を外気と熱交換させるようになっている。ガスクーラは、エンジン冷却水を冷却するラジエータに重なるように車両のフロントエンドに配置され、車室外ファンによって強制空冷されるようになっている。
【０００４】
また、特許文献２に開示されている車両用ヒートポンプシステムは、電動モータ駆動車両において、走行用モータやインバータ等の発熱部品を水冷する水冷回路に水冷媒熱交換器を設け、この水冷媒熱交換器に、電動圧縮機に吸入される前の低圧な冷媒を流すことにより、発熱部品の廃熱を冷媒側に供給し、これによってヒートポンプモード時における暖房性能を向上させている。
【０００５】
この車両用ヒートポンプシステムにおいて、冷房運転時には、電動圧縮機から吐出された高温、圧縮な冷媒が、水冷媒熱交換器を通らずに空冷式の室外熱交換器（凝縮器）に流されて外気と熱交換される。室外熱交換器は、特許文献１の構成と同じく、水冷回路の冷却水を冷却するラジエータに重なるように車両のフロントエンドに配置され、車室外ファンによって強制空冷されるようになっている。
【先行技術文献】
【特許文献】
【０００６】
【特許文献１】特開２００４−２１７０８７号公報
【特許文献２】特開２０１２−１８８１０８号公報
【発明の概要】
【発明が解決しようとする課題】
【０００７】
エンジンを備えず、電動モータの動力で走行する電気自動車（ＥＶ：Electric Vehicle）では、エンジン騒音が全く無く快適である反面、エンジン駆動車両よりも空調装置の運転に伴う車室外ファンからの騒音が車室内に伝播し易く、これが耳障りになる。特に停車時や低速走行時にはファン騒音の車室内への侵入が顕著になり、乗員にとって不快なものとなるため、車室外ファンの低騒音化が望まれている。
【０００８】
また、電気自動車では、限られたバッテリ容量の中で航続距離を極力延長させる必要がある（エンジン駆動車両における燃費に相当する電費を向上させる必要がある）。空調装置が冷房運転で消費する電力は非常に大きく、高ＣＯＰ冷房システムが要求されている。このため、車室外ファンの省電力化も必要である。さらに、航続距離の観点では車両の軽量化も重要視されており、圧縮冷媒を放熱させる凝縮器等は高重量であるため、軽量でコンパクトな製品が要求されている。
【０００９】
このような風潮にも拘わらず、引用文献１，２に開示されている車両用空調装置においては、いずれも古典的なエンジン駆動車両用の冷却系レイアウトが踏襲されている。即ち、冷房運転時に圧縮冷媒を放熱させるガスクーラ（凝縮器）が、エンジンや走行用モータの冷却水を冷却するラジエータの前方に重ねられて車室外ファンと共にアッセンブリー化され、このアッセンブリーが電気自動車の車体前部に設置されて、車室外ファンにより２つの熱交換器が強制空冷されるようになっている。このため、車室外ファンのモータ入力が増大し、前述のファン騒音が車室内に伝播し易くなっていた。
【００１０】
また、２種類の熱交換器が組み合わされた大型の冷却アッセンブリーが車体の前部に設置されていたため、電気自動車に要求される軽量化・コンパクト化が妨げられる原因となっていた。
【００１１】
本発明は上記の事情に鑑みてなされたものであり、車室外ファンの騒音を低減させるとともに、空調装置の軽量化・コンパクト化を図り、ひいては電気自動車の電費を向上させることのできる電気自動車用空調装置およびその運転方法を提供することを目的とする。
【課題を解決するための手段】
【００１２】
上記課題を解決するために、本発明は以下の手段を採用する。
即ち、本発明に係る電気自動車用空調装置は、走行用モータに冷却水を供給する冷却水ポンプと、前記走行用モータを冷却し終えた前記冷却水を外気と熱交換させる空冷熱交換器と、前記空冷熱交換器を強制的に冷却する車室外ファンと、を有してなるモータ冷却回路を備えるとともに、冷媒を圧縮する電動圧縮機と、前記電動圧縮機の吐出側、且つ車室外に設けられた水冷媒熱交換器と、車室内のＨＶＡＣユニット内に設けられた車室内蒸発器と、を有してなる冷房回路を備え、前記水冷媒熱交換器は、前記冷房回路において前記電動圧縮機から吐出された前記冷媒と、前記モータ冷却回路を流れる前記冷却水とを熱交換させるように構成されていることを特徴とする。
【００１３】
上記構成によれば、冷房運転時に冷房回路の電動圧縮機から吐出された圧縮冷媒の凝縮熱が、水冷媒熱交換器においてモータ冷却回路を流れる冷却水と熱交換される。通常、圧縮冷媒の温度はモータ冷却回路の冷却水温よりも高いため、圧縮冷媒が冷却水によって効率良く冷却され、圧縮冷媒の熱はモータ冷却回路の空冷熱交換器によって外部に放熱される。
【００１４】
このため、従来ではモータ冷却回路の空冷熱交換器の前面に重なるように設けられていた空冷式の凝縮器（ガスクーラ、コンデンサ）が不要となり、モータ冷却回路の空冷熱交換器を強制空冷する車室外ファンの空気抵抗が減少する。したがって、室外ファンモータを小型化する、あるいは室外ファンモータへの入力を低減させることができる。このため、車室外ファンの騒音を低減させることができる。
【００１５】
しかも、水冷媒熱交換器は熱伝達率のよい水冷式の凝縮器であり、空冷式の凝縮器は使用されないため、高効率な冷房運転を行い、その分電費を向上させて航続距離の低下を抑制することができる。さらに、空冷式凝縮器を削除できるため、車両のフロントエンド部に配置される空冷熱交換器と車室外ファンのアッセンブリーを軽量化・コンパクト化することができる。
【００１６】
また、本発明に係る電気自動車用空調装置は、上記構成において、前記水冷媒熱交換器が、前記モータ冷却回路における前記空冷熱交換器の直ぐ上流側に配置されていることを特徴とする。
【００１７】
上記構成によれば、冷房回路において電動圧縮機から吐出された圧縮冷媒が水冷媒熱交換器に流れ、ここで、走行用モータやインバータ等の熱源を冷却し終えたモータ冷却回路の冷却水と熱交換される。モータ冷却回路の冷却水は、走行用モータ等を冷却し終えてから圧縮冷媒と熱交換されるため、圧縮冷媒の熱によって走行用モータ等の冷却効率が低下することがない。このため、走行用モータやインバータ等の熱源を適正に冷却して電気自動車の電費の向上に貢献することができる。
【００１８】
また、本発明に係る電気自動車用空調装置は、上記構成において、前記ＨＶＡＣユニット内に設けられたヒータコアと、前記ヒータコアに熱媒水を供給する熱媒水ポンプと、前記熱媒水を加熱する熱媒水ヒータと、を有してなる、前記モータ冷却回路とは別系統の暖房回路をさらに備えたことを特徴とする。
【００１９】
上記構成によれば、暖房回路がモータ冷却回路に対して独立的に設けられ、この暖房回路を流れる熱媒水温が熱媒水ヒータによって独自にコントロールされるため、モータ冷却回路の冷却水温に関係なく、安定した暖房性能を確保することができる。
【００２０】
また、本発明に係る電気自動車用空調装置の運転方法は、前記いずれかに記載の電気自動車用空調装置の運転方法であり、前記モータ冷却回路が前記走行用モータのバッテリを冷却するように構成されている場合において、前記バッテリの性能が低下するような低外気温時には、前記車室外ファンを停止させるとともに、前記冷却水の温度が前記バッテリにとって好適な温度に昇温するまで、前記電動圧縮機を作動させて前記水冷媒熱交換器において前記冷媒の凝縮熱を前記冷却水に熱移送することを特徴とする。
【００２１】
上記運転方法によれば、バッテリの性能が低下するような低外気温時においても、バッテリの温度を適温まで上昇させることができ、その後は走行用モータやインバータ等が発する熱によってバッテリの温度を適温に維持することができる。このため、バッテリの性能低下を抑制し、ひいては電気自動車の電費の向上に貢献することができる。
【発明の効果】
【００２２】
以上のように、本発明に係る電気自動車用空調装置およびその運転方法によれば、車室外ファンの騒音を低減させるとともに、空調装置の軽量化・コンパクト化を図り、電気自動車の電費を向上させることができる。
【図面の簡単な説明】
【００２３】
【図１】本発明の実施形態に係る空調装置の基本構成を示す回路図である。
【図２】冷房運転時における空調装置の回路図である。
【図３】暖房運転時における空調装置の回路図である。
【図４】除湿暖房運転時における空調装置の回路図である。
【発明を実施するための形態】
【００２４】
以下、図１〜図４に基づいて本発明の実施形態について説明する。
図１は、本発明の実施形態に係る空調装置の基本構成を示す回路図である。この空調装置１は、電気自動車を対象に備えられるものであり、ＨＶＡＣユニット２と、モータ冷却回路３と、冷房回路４と、暖房回路５とを備えて構成されている。
【００２５】
ＨＶＡＣユニット２は、内外気切替ダンパ７を介して車室内の内気または車室外の外気のいずれかを選択的に導入し、下流側に圧送するブロア８と、ブロア８に連なる空気流路９内に上流側から下流側にかけて順次配設されている車室内蒸発器１１と、ヒータコア１２とを備えている。このＨＶＡＣユニット２は、車室内前方のインストルメントパネル内に設置され、車室内蒸発器１１およびヒータコア１２により温調された空気を、車室内に向けて開口されているデフ吹出し口１３、フェイス吹出し口１４、フット吹出し口１５のいずれかから、吹出しモード切替ダンパ１６，１７，１８により切り換えられる吹出しモードに従って車室内に吹き出し、車室内を設定温度に空調するものである。
【００２６】
一方、冷房回路４は、車室外に設置されて冷媒を圧縮する電動圧縮機２０と、この電動圧縮機２０の吐出側、且つ車室外に設けられた水冷媒熱交換器２１と、ＨＶＡＣユニット２内に設けられた車室内蒸発器１１と、レシーバ２２と、膨張弁２３とが、この順番で冷媒配管２４によりループ状に接続された構成である。
【００２７】
他方、モータ冷却回路３は、冷却水ポンプ２６と、車体駆動用の走行用モータ２７に設けられたウォータージャケットと、走行用モータ２７に電力を供給するバッテリ２８と、前述の水冷媒熱交換器２１と、空冷熱交換器２９とが、この順番で冷却水配管３０によりループ状に接続された構成である。ここで、水冷媒熱交換器２１は空冷熱交換器２９の直ぐ上流側に配置されている。なお、バッテリ２８と水冷媒熱交換器２１との間に、冷却水を補充するリザーバタンク３１が接続されている。また、空冷熱交換器２９には、これを強制的に空冷する車室外ファン３２が装着されている。
【００２８】
このモータ冷却回路３において、冷却水ポンプ２６から吐出された冷却水は、走行用モータ２７とバッテリ２８とに供給され、これらの部材２７，２８および図示しないモータ制御用のインバータ等の発熱機器類を冷却する。走行用モータ２７を冷却し終えた冷却水は、水冷媒熱交換器２１を通り抜けて空冷熱交換器２９に流れ、ここで外気と熱交換される。車室外ファン３２は空冷熱交換器２９を強制的に空冷する。ここで冷却された冷却水は再び冷却水ポンプ２６に供給され、上述の循環が繰り返される。
【００２９】
水冷媒熱交換器２１は、冷房回路４において電動圧縮機２０から吐出された圧縮冷媒が流れる冷媒流通コア２１ａと、モータ冷却回路３において走行用モータ２７やバッテリ２８、インバータ等を冷却し終えた冷却水が流れる冷却水流通コア２１ｂとが組み合わされた構造であり、冷房回路４において電動圧縮機２０から吐出された高温な圧縮冷媒と、モータ冷却回路３を流れる冷却水とが互い混合されることなく効率的に熱交換されるように構成されている。
【００３０】
また、暖房回路５は、ＨＶＡＣユニット２内に設けられたヒータコア１２と、ヒータコア１２に熱媒水を供給する熱媒水ポンプ３５と、熱媒水を加熱する熱媒水ヒータ３６とが、この順番で熱媒水配管３７によりループ状に接続された構成である。なお、ヒータコア１２と熱媒水ポンプ３５との間に、熱媒水を補充するリザーバタンク３８が接続されている。熱媒水ヒータ３６としては、ＰＴＣ（Positive  Temperature  Coefficient）素子を使用した電気式のＰＴＣヒータを例示することができるが他の形式のものであってもよい。
【００３１】
モータ冷却回路３の空冷熱交換器２９の出口部には冷却水温度センサ（Ｔｗ）４１が設置され、冷房回路４の車室内蒸発器１１にはフロストセンサ（ＦＳ）４２が設置され、暖房回路５の熱媒水ヒータ３６の出口には熱媒水温センサ（Ｔｗ）４３が設置されている。これらのセンサ４１，４２，４３は、図示しない空調制御装置に各部の温度検出情報を出力する。
【００３２】
空調制御装置は、冷却水温度センサ４１からの温度情報を基にしてモータ冷却回路３を制御し、走行用モータ２７やバッテリ２８やインバータ等の発熱機器類の冷却を適切に行わせる。また、フロストセンサ４２および暖房吹出し熱媒水温センサ４３からの温度検出情報と、乗員が設定した空調温度とを対比しながら冷房回路４と暖房回路５を制御し、車室内の空調を適切に行わせる。
【００３３】
次に、以上のように構成された空調装置１の運転時における冷却水、冷媒、熱媒水の流れを、図２〜図４を用いて説明する。この空調装置１は、冷房回路４を作動させて車室内の温度を下げる冷房運転（図２参照）と、暖房回路５を作動させて車室内の温度を上げる暖房運転（図３参照）と、冷房回路４および暖房回路５を共働させて車室内の空気を除湿する除湿暖房運転（図４参照）と、バッテリ２８の性能が低下するような低外気温時に、冷房回路４における圧縮冷媒の熱をバッテリ２８に供給する熱移送運転と、を切り替えて運転される。なお、各図において、運転時に作動流体（冷媒、冷却水、熱媒水）が流れる配管は太線で示され、作動流体が流れていない配管は細線で示されている。
【００３４】
［冷房運転］
図２に示すように、冷房運転時には、冷房回路４の電動圧縮機２０で圧縮された高温、高圧な冷媒が水冷媒熱交換器２１に流れ、ここでモータ冷却回路３を流れる冷却水と熱交換されることによって凝縮液化される。この液冷媒はレシーバ２２に一旦貯留された後で膨張弁２３により減圧されて気液二相状態となり、ＨＶＡＣユニット２内の車室内蒸発器１１に供給される。そして、車室内蒸発器１１でブロア８から送風されてくる内気または外気と熱交換されて気化した冷媒は、再び電動圧縮機２０に流れて圧縮され、以下、同様のサイクルが繰り返される。
【００３５】
車室内蒸発器１１で気化した冷媒の気化熱と熱交換されることにより冷却された内気または外気は、吹出しモード切替ダンパ１６，１７，１８により切り替えられる吹出しモードに応じて、デフ吹出し口１３、フェイス吹出し口１４、フット吹出し口１５のいずれかから車室内に吹き出され、車室内の温度を下げる冷房に供される。
【００３６】
この冷房運転時には暖房回路５が停止（ＯＦＦ）状態とされるため、ＨＶＡＣユニット２内のヒータコア１２には熱媒水ヒータ３６に加熱された熱媒水が供給されることがなく、ヒータコア１２の温度が高くなることがない。したがって、車室内蒸発器１１を通過して冷却された風の全量がヒータコア１２を通過しても、この冷風が温められることはない。なお、冷房温度の調整は、例えば電動圧縮機２０の回転数を変化させることによって行われる。
【００３７】
［暖房運転］
図３に示すように、暖房運転時には、暖房回路５の熱媒水ポンプ３５から吐出された熱媒水が熱媒水ヒータ３６によって加熱された後、ＨＶＡＣユニット２内のヒータコア１２に流れ、ＨＶＡＣ２の内部でブロア８から送風されてくる内気または外気と熱交換されて放熱され、再び熱媒水ポンプ３５に供給されるサイクルが繰り返される。
【００３８】
ヒータコア１２において加熱された内気または外気は、吹出しモード切替ダンパ１６，１７，１８により切り替えられる吹出しモードに応じて、デフ吹出し口１３、フェイス吹出し口１４、フット吹出し口１５のいずれかから車室内に吹き出され、車室内の温度を上げる暖房に供される。なお、通常の暖房運転は、窓の曇りを防止するために外気導入モードで行われる。
【００３９】
この暖房運転時には、冷房回路４は停止（ＯＦＦ）状態とされるため、ＨＶＡＣユニット２内の車室内蒸発器１１には冷媒が供給されず、車室内蒸発器１１の温度が低くなることもない。したがって、ヒータコア１２を通過する前の空気が冷却されることはない。なお、暖房温度の調整は、熱媒水ヒータ３６への通電量を変化させることによって行われる。
【００４０】
［除湿暖房運転］
図４に示すように、除湿暖房運転時には、冷房回路４と暖房回路５の両方が作動する。このため、ＨＶＡＣユニット２内でブロア８から送風されてくる内気または外気は、まず車室内蒸発器１１を通過することによって冷却および除湿され、次にヒータコア１２を通過することによって適温まで再加熱され、その後、吹出しモード切替ダンパ１６，１７，１８により切り替えられる吹出しモードに応じて、デフ吹出し口１３、フェイス吹出し口１４、フット吹出し口１５のいずれかから車室内に吹き出される。このため、車室内の温度を下げることなく除湿が行われる。
【００４１】
［熱移送運転］
さらに、バッテリ２８の性能が低下するような低外気温時には、冷房回路４を作動させ、電動圧縮機２０で圧縮された高温、高圧な冷媒の熱を水冷媒熱交換器２１においてモータ冷却回路３を流れる冷却水と熱交換されることによって冷却水に圧縮冷媒の熱を移送して加熱する。この時には、空冷熱交換器２９の車室外ファン３２を停止させて冷却水の温度上昇を早める。この熱移送運転は、冷却水の温度がバッテリ２８にとって好適な温度に昇温するまで行われる。
【００４２】
なお、この熱移送運転時において、車室内温度が低下することを防止するために、デフ吹出し口１３、フェイス吹出し口１４、フット吹出し口１５を全て閉鎖し、ＨＶＡＣユニット２に設けた図示しない外部連通口を開いて、車室内蒸発器１１を通過した低温な空気を車室外に放出するようにしてもよい。
【００４３】
［作用・効果］
本実施形態に係る空調装置１によれば、以下の作用効果が奏される。
まず、この空調装置１は、冷房回路４の電動圧縮機２０から吐出された圧縮冷媒の凝縮熱が、水冷媒熱交換器２１において、モータ冷却回路３を流れる冷却水と熱交換されるように構成されているため、モータ冷却回路３を流れる冷却水によって圧縮冷媒を効率良く冷却することができる。即ち、通常時において圧縮冷媒の温度はモータ冷却回路３の冷却水温よりも格段に高いため、圧縮冷媒の熱が水冷媒熱交換器２１においてモータ冷却回路３の冷却水に移送され、移送された熱は空冷熱交換器２９および車室外ファン３２によって外部に放熱される。
【００４４】
このため、従来では空冷熱交換器２９の前面に重なるように設けられていた空冷式の凝縮器（ガスクーラ、コンデンサ）が不要になり、空冷熱交換器２９を強制空冷する車室外ファン３２の空気抵抗を大幅に減少させることができる。したがって、車室外ファン３２のモータを小型化する、あるいはモータへの入力を低減させることができ、車室外ファン３２の騒音を大幅に低減させて車室内の居住性を改善することができる。
【００４５】
しかも、水冷媒熱交換器２１は、熱伝達率のよい水冷式の凝縮器であり、上記のように従来の空冷式の凝縮器は使用されないため、電力消費の少ない高効率な冷房運転を行い、その分電費を向上させて電気自動車の航続距離の低下を抑制することができる。さらに、空冷式凝縮器を削除できるため、電気自動車のフロントエンド部に配置されるのは空冷熱交換器２９のみとなり、これによってフロントエンド部の大幅な軽量化およびコンパクト化を実現することができる。
【００４６】
また、この空調装置１は、水冷媒熱交換器２１が空冷熱交換器２９の直ぐ上流側に配置されているため、冷房回路４において電動圧縮機２０から吐出された圧縮冷媒が水冷媒熱交換器２１に流れ、ここで、走行用モータ２７やインバータ等の熱源を冷却し終えたモータ冷却回路３の冷却水と熱交換される。このように、モータ冷却回路３の冷却水は、走行用モータ２７等を冷却し終えてから圧縮冷媒と熱交換されるため、圧縮冷媒の熱によって走行用モータ２７等の冷却効率が低下することがない。このため、走行用モータ２７やインバータ等の熱源を適正に冷却して電気自動車の電費向上に貢献することができる。
【００４７】
さらに、この空調装置１は、モータ冷却回路３に対して独立的に設けられた別系統の暖房回路５を備えているため、この暖房回路５を流れる熱媒水温が熱媒水ヒータ３６によって独自にコントロールされる。このため、モータ冷却回路３の冷却水温に関係なく、安定した暖房性能を確保することができる。
【００４８】
また、この空調装置１は、バッテリ２８の性能が低下するような低外気温時に、車室外ファン３２を停止させるとともに、モータ冷却回路３の冷却水温がバッテリ２８にとって好適な温度に昇温するまで、電動圧縮機２０を作動させて水冷媒熱交換器２１において冷媒の凝縮熱を冷却水に熱移送する熱移送運転を行うことができるため、低外気温時においてもバッテリ２８の温度を適温まで上昇させることができ、その後は走行用モータ２７やインバータ等が発する熱によってバッテリ２８の温度が適温に維持される。このため、バッテリ２８の性能低下を抑制し、ひいては電気自動車の電費の向上に貢献することができる。
【００４９】
以上のように、この空調装置１およびその運転方法によれば、車室外ファン３２の騒音を低減させるとともに、空調装置１の軽量化・コンパクト化を図り、電気自動車の電費を向上させることができる。
【００５０】
なお、本発明は上記実施形態の構成のみに限定されるものではなく、本発明の要旨を逸脱しない範囲内において適宜変更や改良を加えることができ、このように変更や改良を加えた実施形態も本発明の権利範囲に含まれるものとする。
【００５１】
例えば、モータ冷却回路３において、冷却水配管３０から分岐して冷却水流通コア２１ｂをバイパスするバイパス配管と、このバイパス配管に選択的に冷却水を流す切替弁とを設け、冷房運転を行っていない場合には上記バイパス配管に冷却水を流すことにより、冷却水流通コア２１ｂによる圧力損失を回避させてモータ冷却回路３を流れる冷却水量を増大させ、冷却効果を高めることができる。
【符号の説明】
【００５２】
１  空調装置
２  ＨＶＡＣユニット
３  モータ冷却回路
４  冷房回路
５  暖房回路
１１  車室内蒸発器
１２  ヒータコア
２０  電動圧縮機
２１  水冷媒熱交換器
２６  冷却水ポンプ
２７  走行用モータ
２８  バッテリ
２９  空冷熱交換器
３２  車室外ファン
３５  熱媒水ポンプ
３６  熱媒水ヒータ
【図１】
2014108770.tif 000003
【図２】
2014108770.tif 000004
【図３】
2014108770.tif 000005
【図４】
2014108770.tif 000006